(57)【要約】【課題】  １回で読取ることのできないサイズの原稿の複写における合成処理の処理効率を向上する画像処理装置を提供する。【解決手段】  原稿を構成する複数の部分画像を読取って得られた複数の部分画像データを合成する画像処理装置において、部分画像データの配置と読取り順序とを予め関連づけて記憶した配置記憶手段と、前記複数の部分画像を読取る読取手段と、前記読取手段にて得られた複数の部分画像データと、読取り順序とを関連づけて記憶する部分画像データ記憶手段と、前記部分画像データ記憶手段に記憶された読取り順序と、前記配置記憶手段に記憶された読取り順序とに基づいて、前記複数の部分画像データの配置を決定して合成する合成手段とを備えた。【選択図】  図１
2006148770.tif 000002
【特許請求の範囲】
【請求項１】
原稿を構成する複数の部分画像を読取って得られた複数の部分画像データを合成する画像処理装置において、
部分画像データの配置と読取り順序とを予め関連づけて記憶した配置記憶手段と、
前記複数の部分画像を読取る読取手段と、
前記読取手段にて得られた複数の部分画像データと、読取り順序とを関連づけて記憶する部分画像データ記憶手段と、
前記部分画像データ記憶手段に記憶された読取り順序と、前記配置記憶手段に記憶された読取り順序とに基づいて、前記複数の部分画像データの配置を決定して合成する合成手段と、
を備えたことを特徴とする画像処理装置。
【請求項２】
前記部分画像のサイズを取得するサイズ取得手段と、
原稿台の読取り面における読取りの基点を複数ヶ所分、それぞれ読取り順序と予め関連づけて記憶する基点記憶手段を備え、
前記読取り手段は、読取り順序に対応する読取りの基点を前記基点記憶手段より取得し、当該読取りの基点より前記部分画像のサイズに対応する前記原稿台の読取り面の領域を読取る請求項１記載の画像処理装置。
【請求項３】
前記読取りの基点を示唆する示唆手段を備えた請求項２記載の画像処理装置。
【請求項４】
前記示唆手段は、原稿台の読取り面の全領域を表す画像をディスプレイに表示し、前記読取りの基点に対応する位置近傍の所定領域の表示色を、他の領域の表示色と区別できるように表示して示唆する請求項３記載の画像処理装置。
【請求項５】
前記示唆手段は、前記読取りの基点に対応する位置の近傍に配設された発光体を発光させて示唆する請求項３記載の画像処理装置。
【請求項６】
前記複数の部分画像データの回転編集、配置編集を行う編集手段を備えた請求項１、２、３、４又は５記載の画像処理装置。
【発明の詳細な説明】
【技術分野】
【０００１】
本発明は、画像処理装置に関し、特に１回で読取ることのできないサイズの原稿を、複数の部分画像に分割して読取り、読取った画像データを合成する画像処理装置に関する。
【背景技術】
【０００２】
従来より、１回で読取ることのできないサイズの原稿を、複数の部分画像に分割して読取り、読取った複数の部分画像データを接合して合成する画像処理装置が提案されている。
【０００３】
これは、原稿の各部分画像における余白部の位置が特定できる点と、接合されるべき辺の付近の画像が、隣接する部分画像間で相互に類似しているという点とを利用して、複数の部分画像データを接合して合成するという技術である（特許文献１参照）。
【特許文献１】特開平０９−１２１２７７号公報
【発明の開示】
【発明が解決しようとする課題】
【０００４】
しかしながら、上述した従来技術においては、原稿の各部分画像における余白部の位置の特定は、画像密度の算出、比較処理を必要とし、合成処理が複雑であり、処理効率が悪い。
【０００５】
また、通常、これらの画像処理装置には、読取りの基点が１ヶ所しかないため、原稿の複数の部分画像を合成する場合、原稿を原稿台の読取り面に載置する載置方向によって、合成画像は原稿と異なってくるので、載置方向に思考を凝らせなければならず、載置操作が面倒である。
【０００６】
そこで、本発明は、１回で読取ることのできないサイズの原稿の複写における合成処理の処理効率を向上すると共に、原稿の載置操作の利便性を改善した画像処理装置を提供することを目的とする。
【課題を解決するための手段】
【０００７】
本発明は、原稿を構成する複数の部分画像を読取って得られた複数の部分画像データを合成する画像処理装置を前提としている。
【０００８】
本発明は、部分画像データの配置と読取り順序とを予め関連づけて記憶した配置記憶手段と、前記複数の部分画像を読取る読取手段と、前記読取手段にて得られた複数の部分画像データと、読取り順序とを関連づけて記憶する部分画像データ記憶手段と、前記部分画像データ記憶手段に記憶された読取り順序と、前記配置記憶手段に記憶された読取り順序とに基づいて、前記複数の部分画像データの配置を決定して合成する合成手段とを備えた構成としている。
【０００９】
このようにすれば、１回で読取ることのできない原稿を複数の部分画像に分割して読取り、読取った部分画像データを読取り順序に関連づけた配置で合成するので、合成処理が簡易化され、処理効率を向上することができる。
【００１０】
また、前記部分画像のサイズを取得するサイズ取得手段と、原稿台の読取り面における読取りの基点を複数ヶ所分、それぞれ読取り順序と予め関連づけて記憶する基点記憶手段を備え、前記読取り手段は、読取り順序に対応する基点を前記基点記憶手段より取得し、当該基点より前記部分画像のサイズに対応する前記原稿台の読取り面の領域を読取る構成としてもよい。
【００１１】
このようにすれば、読取り順序に関連付けた読取りの基点が複数ヶ所あるので、原稿の載置操作の利便性を改善できる。
【００１２】
また、前記基点を示唆する示唆手段を備えた構成としてもよい。このようにすれば、ユーザが読取りの基点を容易に察知できるので、読取りにおける原稿の載置操作の利便性がさらに向上する。なお、原稿台の読取り面の全領域を表す画像をディスプレイに表示し、前記読取りの基点に対応する位置近傍の所定領域の表示色を、他の領域の表示色と区別できるように表示して示唆する構成としてもよいし、前記読取りの基点に対応する位置の近傍に配設された発光体を発光させて示唆する構成としてもよい。
【００１３】
また、前記複数の部分画像データの回転編集、配置編集を行う編集手段を備えた構成としてもよい。このようにすれば、例えば、読取り順序を誤ったとしても、後から編集できるので、ユーザの意図するように合成することができる。
【発明の効果】
【００１４】
１回で読取ることのできない原稿を複数の部分画像に分割して読取り、読取った部分画像データを読取り順序に関連づけた配置で合成するので、合成処理が簡易化され、処理効率を向上することができる。さらに、読取り順序に関連付けた読取りの基点が複数ヶ所あるので、原稿の載置操作の利便性を改善できる。
【発明を実施するための最良の形態】
【００１５】
以下、本発明の実施の形態を図面にしたがって詳細に説明する。
【００１６】
図１は本願発明の実施の形態における画像処理装置の概略ブロック図であり、図２は本願発明の実施の形態における画像処理装置の動作を示すフロー図である。
【００１７】
以下では、ユーザは、面積において、原稿台の読取り面よりも大きく、当該原稿台の読取り面の４倍以下の不定形の原稿を複写する場合について説明する。
【００１８】
ユーザはまず出力する用紙サイズを、出力サイズ設定手段１より、例えばＡ４と設定し（Ｓ１）、次に分割モード設定手段２により、例えば４分割モードを設定する（Ｓ２）。      
【００１９】
上記のように４分割モードが設定されると、読取手段３は、設定された分割値「４」を、当該読取手段３に内蔵されたカウンタの読取り順序を表すカウンタ値の上限値として設定すると共に、カウンタ値を「１」にする。
【００２０】
次にユーザが原稿を４つ折りにして、当該４つ折りの状態で原稿台の読取り面２０の任意の位置にセットしてスタートキーを押下すると、サイズ取得手段４はスキャンを実行し、４つに等分割して得られる部分画像のサイズを取得する（Ｓ３）。
【００２１】
サイズ取得手段４は取得した部分画像のサイズを４倍することで、原稿サイズを算出し、当該算出した原稿サイズと上記出力サイズ設定手段１より設定した出力サイズに基づいて、縮小倍率を算出する（Ｓ４）。
【００２２】
上記縮小倍率の算出が終了すると、その旨を受けて読取手段３は、カウンタ値「１」を表す信号を示唆手段５に入力し、当該示唆手段５はその信号に基づいて、基点記憶手段６から示唆する読取りの基点を取得する。
【００２３】
ここで、上記読取りの基点となる位置は、図３（ａ）に示す、原稿台の読取り面２０の上角αと下角βである。なお、基点の位置は原稿台の読取り面の任意の位置としてよい。
【００２４】
上記基点記憶手段６は、カウンタ値に関連づけた４ヶ所分の読取りの基点を、図４に示すような基点テーブル６ａに予め記憶している。
【００２５】
上記示唆手段５は、上記基点記憶手段６から上記カウンタ値「１」に対応する１番目の読取りの基点αを取得すると、当該１番目の読取りの基点αを示唆する（Ｓ５）。
【００２６】
上記示唆は、図３（ｂ）に示すように、原稿台の読取り面２０の全領域を表す画像をディスプレイに表示し、上記読取りの基点αに対応する位置近傍の所定領域の表示色を、他の領域の表示色と区別できるように表示して行われる。
【００２７】
なお、上記示唆は、予めカウンタ値に関連づけた４ヶ所分の読取りの基点に対応する位置の近傍に配設された発光体を発光させて行われる構成としてもよい。
【００２８】
次に、ユーザは４つ折りの状態の原稿を広げて、図５（ａ）〜（ｄ）に示す手順で読取りを行う。なお、図（ａ）〜（ｄ）は原稿の載置状態を上方から見た模式図である。
【００２９】
図５（ａ）に示すように、部分画像Ａを上記示唆された１番目の読取りの基点αに位置合わせして載置し、スタートキーを押下して１番目の読取りを実行すると、読取手段３は当該部分画像Ａを、サイズ取得手段４で算出した縮小倍率で読取る（Ｓ６）。
【００３０】
上記１番目の読取りが終了すると、上記読取手段３は、読取った部分画像データをカウンタ値「１」と共に部分画像データ記憶手段７に転送し、当該転送された部分画像データは、図６に示すように、部分画像テーブル７ａに、カウンタ値「１」と関連づけて記憶される（Ｓ７）。
【００３１】
さらに、上記読取手段３は、上記部分画像データ記憶手段７へ転送すると共に、カウンタ値をインクリメントして「２」にする。
【００３２】
上記のようにインクリメントして得られたカウンタ値「２」を表す信号は、上記示唆手段５に入力され、当該示唆手段５は２番目の読取りの基点βを示唆し、図５（ｂ）に示すように、ユーザが部分画像Ｂを当該示唆された２番目の読取りの基点βに位置合わせして載置し、スタートキーを押下して２番目の読取りを実行すると、読取手段３は当該部分画像Ｂを、サイズ取得手段４で算出した縮小倍率で読取る。
【００３３】
上記２番目の読取りが終了すると、上記読取手段３は、読取った部分画像データをカウンタ値「２」と共に部分画像データ記憶手段７に転送し、当該転送された部分画像データはカウンタ値「２」と関連づけて記憶される。
【００３４】
さらに、上記読取手段３は、上記部分画像データ記憶手段７へ転送すると共に、カウンタ値をインクリメントして「３」にする。
【００３５】
上記のようにインクリメントして得られたカウンタ値「３」を表す信号は、上記示唆手段５に入力され、３番目の読取りの基点βを示唆し、ユーザが原稿を１８０°回転させて、図５（ｃ）に示すように、部分画像Ｃを当該示唆された３番目の読取りの基点βに位置合わせして載置し、スタートキーを押下して３番目の読取りを実行すると、読取手段３は当該部分画像Ｃを、サイズ取得手段４で算出した縮小倍率で読取る。
【００３６】
上記３番目の読取りが終了すると、上記読取手段３は、読取った部分画像データをカウンタ値「３」と共に部分画像データ記憶手段７に転送し、当該転送された部分画像データはカウンタ値「３」と関連づけて記憶される。
【００３７】
さらに、上記読取手段３は、上記部分画像データ記憶手段７へ転送すると共に、カウンタ値をインクリメントして「４」にする。
【００３８】
上記のようにインクリメントして得られたカウンタ値「４」を表す信号は、上記示唆手段５に入力され、４番目の読取りの基点αを示唆し、ユーザが図５（ｄ）に示すように、部分画像Ｄを当該示唆された４番目の読取りの基点αに位置合わせして載置し、スタートキーを押下して４番目の読取りを実行すると、読取手段３は当該部分画像Ｄを、サイズ取得手段４で算出した縮小倍率で読取る。
【００３９】
上記４番目の読取りが終了すると、上記読取手段３は、読取った部分画像データをカウンタ値「４」と共に部分画像データ記憶手段７に転送し、当該転送された部分画像データはカウンタ値「４」と関連づけて記憶される。
【００４０】
さらに、上記読取手段３は、上記部分画像データ記憶手段７へ転送すると共に、カウンタ値の上限値「４」に達しているカウンタをリセットし、カウンタ値を「０」とする（Ｓ８）。
【００４１】
上記カウンタ値「０」を表す信号は、合成手段８に入力され、当該合成手段８はカウンタ値「０」を読取りの終了と認識して、読取手段３で読取った部分画像Ａ、Ｂ、Ｃ、Ｄに対応する４つの部分画像データを合成する。
【００４２】
上記合成手段８は、図７（ａ）に示すような部分画像データの配置を、図７（ｂ）に示すように、カウンタ値と関連づけて配置テーブル９ａに予め記憶する配置記憶手段９を参照する。
【００４３】
上記配置記憶手段９の参照結果に基づいて、部分画像データ記憶手段７に記憶された４つ部分画像データの配置を、カウンタ値に対応するように決定して合成する（Ｓ９）。なお、このとき、部分画像Ｃ、Ｄに対応する部分画像データを１８０°回転させて合成する。
【００４４】
上記合成手段８は、合成して得られた合成画像データの表す合成画像をディスプレイにプレビュー表示し（Ｓ１０）、ユーザは表示された合成画像を確認して、編集しないのであればそのまま出力手段１０により出力する（Ｓ１１→Ｓ１２）。
【００４５】
また、表示された合成画像を確認して、例えば、読取り順序を誤った等の理由により、ユーザの意図する合成画像でない場合は、編集手段１１により、４つの部分画像データの回転編集、配置編集を行い、出力手段１０により出力する（Ｓ１１→Ｓ１３）。
【００４６】
このようにすれば、１回で読取ることのできない原稿を複数の部分画像に分割して読取り、読取った部分画像データを読取り順序に関連づけた配置で合成するので、合成処理が簡易化され、処理効率を向上することができる。
【００４７】
また、読取り順序に関連付けた読取りの基点が複数ヶ所あるので、原稿の載置操作の利便性を改善できる。
【００４８】
また、読取りの基点を示唆する示唆手段を備えた構成としたので、ユーザが読取りの基点を容易に察知でき、読取りにおける原稿の載置操作の利便性がさらに向上する。
【００４９】
また、編集手段を備えた構成としたので、例えば、読取り順序を誤ったとしても、後から編集できるので、ユーザの意図するように合成することができる。
【００５０】
なお、上記実施の形態では、不定形サイズの原稿を複写する場合、サイズ取得手段６は、不定形サイズの部分画像のサイズをスキャンして取得し、原稿サイズを算出する場合について説明したが、ユーザの手入力により、原稿サイズを取得する構成としてもよい。なお、定形サイズの原稿を複写する場合は、ユーザが選択した定形サイズを原稿サイズとして取得すればよい。
【００５１】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００５２】
１回で読取ることのできない原稿を複数の部分画像に分割して読取り、読取った部分画像データを読取り順序に関連づけた配置で合成するので、合成処理が簡易化され、処理効率を向上する画像処理装置の提供が可能となり、有用である。さらに、読取り順序に関連付けた読取りの基点が複数ヶ所あるので、原稿の載置操作の利便性を改善できる画像処理装置の提供が可能となり、有用である。
【図面の簡単な説明】
【００５３】
【図１】本発明の実施の形態における画像処理装置の概略ブロック図である。
【図２】本発明の実施の形態における画像処理装置の動作を示すフロー図である。
【図３】読取りの基点を示す模式図である。
【図４】基点テーブルを示す図である。
【図５】原稿の載置状態を上方から見た模式図である。
【図６】部分画像テーブルを示す図である。
【図７】部分画像データの配置と配置テーブルを示す図である。
【符号の説明】
【００５４】
３  読取手段
４  示唆手段
５  基点記憶手段
６  サイズ取得手段
７  部分画像データ記憶手段
８  合成手段
９  配置記憶手段
１１  編集手段
【図１】
2006148770.tif 000003
【図２】
2006148770.tif 000004
【図３】
2006148770.tif 000005
【図４】
2006148770.tif 000006
【図５】
2006148770.tif 000007
【図６】
2006148770.tif 000008
【図７】
2006148770.tif 000009